(57)【要約】【課題】  撮影レンズを駆動するカム筒を径方向に小型化して、レンズ装置を小型化する。【解決手段】  撮影領域と格納領域とで移動可能なレンズユニット（６３、７１、７９）と、レンズユニットを駆動するカムを有する駆動機構（５８、３０１）と、駆動機構を制御する制御手段（３０２）とを有し、制御手段は、撮影領域及び格納領域のうち一方から他方への動作中に、撮影領域と格納領域とで駆動機構を反対方向に駆動することを特徴とするレンズ装置。【選択図】  図３
2005284176.tif 000002
【特許請求の範囲】
【請求項１】
撮影領域と格納領域とで移動可能なレンズユニットと、
該レンズユニットを駆動するカムを有する駆動機構と、
前記駆動機構を制御する制御手段とを有し、
前記制御手段は、前記撮影領域及び前記格納領域のうち一方から他方への動作中に、前記撮影領域と前記格納領域とで前記駆動機構を反対方向に駆動することを特徴とするレンズ装置。
【請求項２】
撮影領域と格納領域とで移動可能なレンズユニットと、
前記撮影領域で該レンズユニットを駆動する第１のカムと前記格納領域で該レンズユニットを駆動する第２のカムとを有する駆動部材と、
前記撮影領域と前記格納領域とで、前記駆動部材を反対方向に駆動する制御手段とを有し、
前記格納領域から前記撮影領域に駆動するときに、前記レンズユニットが係合するカムの前記第２のカムから前記第１のカムへの乗り換えを許容し、前記第２のカムから前記第２のカムへの戻りを阻止し、
前記撮影領域から前記格納領域に駆動するときに、前記レンズユニットが係合するカムの前記第１のカムから前記第２のカムへの乗り換えを許容し、前記第１のカムから前記第１のカムへの戻りを阻止する切替機構を有することを特徴とするレンズ装置。
【請求項３】
前記切替機構は、
前記レンズユニットに設けられ、前記第１のカム及び前記第２のカムに係合するカムフォロワと、
このカムフォロワに係合して、前記第１のカム及び前記第２のカムのうちいずれか一方のカムから他方への乗り換えを許容し、該他方のカムから該他方のカムへの戻りを阻止するテーパ形状部とを有し、
前記カムフォロワ及び前記テーパ形状部のうち、少なくとも一方が弾性を有することを特徴とする請求項２に記載のレンズ装置。
【請求項４】
前記駆動部材は筒形状の部材であり、
前記駆動部材において、前記第１のカム及び前記第２のカムは、周方向で重複した位置に配置されていることを特徴とする請求項２又は３に記載のレンズ装置。
【請求項５】
請求項１から４に記載のレンズ装置を有することを特徴とするカメラ。
【請求項６】
被駆動部材と、
第１のカムと該第１のカムと交わる第２のカムとが形成され、前記被駆動部材を駆動するカム部材とを有し、
前記カム部材は、前記被駆動部材に対して相対移動可能であって、
第１の方向に前記カム部材が相対移動するときに、前記第１のカムから前記第２のカムへの乗り換えを阻止し、前記第１の方向と反対の第２の方向に前記カム部材が相対移動するときに、前記第２のカムから前記第１のカムへの乗り換えを許容することを特徴とする駆動装置。
【請求項７】
前記被駆動部材に設けられ、前記第１のカム及び前記第２のカムに係合するカムフォロワと、
このカムフォロワに係合して、前記第１のカム及び前記第２のカムのうちいずれか一方のカムから他方への乗り換えを許容し、該他方のカムから該他方のカムへの戻りを阻止するテーパ形状部とを有し、
前記カムフォロワ及び前記テーパ形状部のうち、少なくとも一方が弾性を有することを特徴とする請求項６に記載の駆動装置。
【請求項８】
前記カム部材は、筒形状の部材であり、
前記カム部材において、前記第１のカム及び前記第２のカムは、周方向で重複した位置に配置されていることを特徴とする請求項６又は７に記載の駆動装置。
【発明の詳細な説明】
【技術分野】
【０００１】
本発明は、カメラに用いられるレンズ装置の構造、特に撮影レンズを駆動するカムの構造に関する。
【背景技術】
【０００２】
カメラに装着されるレンズ装置は、複数の撮影レンズを有しており、各撮影レンズ間の距離を変更することによって、ズーミング及びフォーカシングを可能としている。これらの撮影レンズは、レンズ保持部材によって保持されており、各レンズ保持部材に設けられたカムピンは、カム筒に形成されたカム溝部に係合している。
【０００３】
そして、撮影レンズを、沈胴領域から撮影領域に駆動するときは、カム筒を光軸周り一方向に回転させ、撮影領域から沈胴領域に駆動するときは、カム筒を光軸周り他方向に回転させていた（例えば、特許文献１参照）。
【０００４】
図１０を参照して、従来のカム筒の構成について説明する。ここで、図１０は、カム筒の展開図であり、カム筒の周壁部上には複数のカム溝が形成されている。
【０００５】
１２１a、１２１ｂ、１２１ｃは、不図示の第１の撮影レンズを駆動するためのカム溝部であり、カム筒の周方向３箇所に同形状で設けられている。
【０００６】
カム溝部１２１aにおいて、１２４aはテレ位置で、１２３aはワイド位置で、１２２aは沈胴位置となっており、これらは、一つのカム溝でつながっている。
【０００７】
具体的には、テレ位置１２４aの左側にワイド位置１２３aを設け、これらを円弧状のカム溝で結ぶ。そして、ワイド位置１２３aから左斜め下方にカム溝を延ばし、その位置に沈胴位置１２２aを配置している。
【０００８】
１２５a、１２５ｂ、１２５ｃは、不図示の第２の撮影レンズを駆動するためのカム溝部であり、カム筒の周方向３箇所に同形状で設けられている。
【０００９】
カム溝部１２５aにおいて、１２８aはテレ位置で、１２７aはワイド位置で、１２６aは沈胴位置となっており、これらは、一つのカム溝でつながっている。
【００１０】
具体的には、テレ位置１２８aから左斜め上方にカム溝を延ばし、その位置にワイド位置１２７aを配置している。そして、ワイド位置１２７aから左斜め下方にカム溝を延ばし、その位置に沈胴位置１２６aを配置している。
【００１１】
１２９a、１２９ｂ、１２９ｃは、不図示の第３の撮影レンズを駆動するためのカム溝部であり、カム筒の周方向３箇所に同形状で設けられている。
【００１２】
カム溝部１２９aにおいて、１３２aはテレ位置で、１３１aはワイド位置で、１３０aは沈胴位置となっており、これらは、一つのカム溝でつながっている。
【００１３】
具体的には、テレ位置１３２aから左斜め下方にカム溝を延ばし、その位置にワイド位置１３１aを配置している。そして、ワイド位置１３１aの左側にカム溝を延ばし、その位置に沈胴位置１３０aを配置している。
【特許文献１】特開平８−２２７０８６号公報(段落番号００１６〜００１８)
【発明の開示】
【発明が解決しようとする課題】
【００１４】
しかし、カム溝部１２１a、１２５aは、テレ位置の左側にワイド位置が配置され、ワイド位置の左側に沈胴位置が配置された構成となっており、カム筒において、カム溝部１２１a、１２５aだけで約１２０°の角度を占めている。
【００１５】
そのため、テレ位置とワイド位置を結ぶカム溝部と、ワイド位置と沈胴位置を結ぶカム溝部とのなす角度を大きくすることができず、該角度を大きくするためには、カム筒を径方向に大きくしなければならない。
【課題を解決するための手段】
【００１６】
上記課題を解決するために、本願発明のレンズ装置の第１の構成は、撮影領域と格納領域とで移動可能なレンズユニットと、前記撮影領域で該レンズユニットを駆動する第１のカムと前記格納領域で該レンズユニットを駆動する第２のカムとを有する駆動部材と、前記撮影領域と前記格納領域とで、前記駆動部材を反対方向に駆動する制御手段とを有し、前記格納領域から前記撮影領域に駆動するときに、前記レンズユニットが係合するカムの前記第２のカムから前記第１のカムへの乗り換えを許容し、前記第２のカムから前記第２のカムへの戻りを阻止し、前記撮影領域から前記格納領域に駆動するときに、前記レンズユニットが係合するカムの前記第１のカムから前記第２のカムへの乗り換えを許容し、前記第１のカムから前記第１のカムへの戻りを阻止する切替機構を有することを特徴とする。
【発明の効果】
【００１７】
本願発明のレンズ装置の第１の構成によれば、切替機構によって、格納領域から撮影領域に駆動するときに、レンズユニットが係合するカムの第２のカムから第１のカムへの乗り換えを許容し、第２のカムから第２のカムへの戻りを阻止し、撮影領域から格納領域に駆動するときに、レンズユニットが係合するカムの第１のカムから第２のカムへの乗り換えを許容し、第１のカムから第１のカムへの戻りを阻止することができるため、レンズユニットの格納領域から撮影領域への駆動及び撮影領域から格納領域への駆動を確実に行なうことができる。
【００１８】
また、切替機構を、レンズユニットに設けられ、第１のカム及び第２のカムに係合するカムフォロワと、このカムフォロワに係合して、第１のカム及び第２のカムのうちいずれか一方のカムから他方への乗り換えを許容し、他方のカムから他方のカムへの戻りを阻止するテーパ形状部とを有するように構成するとともに、カムフォロワ及びテーパ形状部のうち、少なくとも一方を弾性とすることにより、レンズユニットの格納領域から撮影領域への駆動及び撮影領域から格納領域への駆動を、簡単な構成で、かつ、確実に行なうことができる。
【００１９】
また、駆動部材を筒形状に構成するとともに、駆動部材において、第１のカム及び第２のカムを、周方向で重複した位置に配置することにより、駆動部材を径方向に小型化することができる。
【発明を実施するための最良の形態】
【００２０】
以下に、本発明の実施例を説明する。まず、図１を参照して、本実施例のカメラの概略構成を説明する。ここで、図１はカメラの正面斜視図である。１はカメラ本体であり、カメラ本体１の前面中央には不図示のマウント部が設けられており、このマウント部にはレンズ装置２が着脱可能に装着される。
【００２１】
３は、ロック解除ボタンであり、このロック解除ボタン３を押し込むことによって、レンズ装置２をカメラ本体１から取り外すことができる。４は撮影モードを決定するための撮影モードダイヤルである。５はカメラ本体１に対して開閉可能なストロボ発光部であり、撮影時に開方向に駆動され被写体にストロボ光を照射する。
【００２２】
６は二段式のレリーズスイッチであり、第１ストローク操作で撮影準備動作（焦点検出動作及び測光動作）が開始され、第２ストローク操作で撮影動作（CCD、CMOSセンサなどの撮像素子への露光及び画像データの記録媒体への記録）が開始される。
【００２３】
次に、図２を参照して、レンズ装置２の構成を説明する。ここで、図２はレンズ装置の光軸方向断面図である。
【００２４】
６３は第１の撮影レンズであり、第１のレンズ保持鏡筒６４に保持されている。５８はカム筒であり、詳細については後述するが、第１の撮影レンズ６３を駆動するカム溝部３３a〜３３ｃ、第２の撮影レンズ７１を駆動するカム溝部４０a〜４０ｃ及び第３の撮影レンズ７９を駆動するカム溝部４７a〜４７ｃが形成されている。
【００２５】
第１のレンズ保持鏡筒６４には、第１のカムフォロワが周方向３箇所（一つは不図示）に設けられている。第１のカムフォロワ６５は、カム溝部３３aに係合し、第１のカムフォロワ７０は、カム溝部３３bに係合し、不図示の第１のカムフォロワは、カム溝部３３cに係合している。
【００２６】
第２の撮影レンズ７１は、第２のレンズ保持鏡筒７２に保持されており、この第２のレンズ保持鏡筒７２の周方向３箇所（一つは不図示）には、第２のカムフォロワが設けられている。第2のカムフォロワ７７は、カム溝部４０aに係合し、第2のカムフォロワ７８は、カム溝部４０ｂに係合し、不図示の第２のカムフォロワは、カム溝部４０ｃに係合している。
【００２７】
第３の撮影レンズ７９は、第３のレンズ保持鏡筒８０に保持されており、この第３のレンズ保持鏡筒８０の周方向３箇所（一つは不図示）には、第３のカムフォロワが設けられている。第３のカムフォロワ８５は、カム溝部４７aに係合し、第３のカムフォロワ８６は、カム溝部４７ｂに係合し、不図示の第３のカムフォロワは、カム溝部４７ｃに係合している。
【００２８】
８７は、第４の撮影レンズであり、不図示のフォーカス駆動ユニットによって光軸方向に駆動され、焦点調節を行う。
【００２９】
５５は、カメラ本体１に固定された固定筒であり、この固定筒５５には、光軸方向に沿って延びる不図示の直進溝部が周方向３箇所に形成されており、これらの直進溝部には、上述の第１のカムフォロワ、第２のカムフォロワ、第３のカムフォロワが係合している。これらのカムフォロワと直進溝部の係合作用によって、第１の撮影レンズ６３、第２の撮影レンズ７１及び第３の撮影レンズ７９は、光軸周りに回転することなく進退する。
【００３０】
次に、図３を参照して、カム筒の構成について説明する。ここで、図３は、カム筒の展開図である。
【００３１】
３３a、３３b、３３cは第１の撮影レンズ６３を駆動するための、カム溝部である。カム溝部３３a、３３b、３３cは、同一形状であるため、カム溝部３３aの形状を説明して、カム溝部３３b、３３cの説明を省略する。
【００３２】
カム溝部３３aのうち、テレ位置３７とワイド位置３６を結ぶカム溝部（第１の領域）の形状は、従来例と同様に円弧状であるが、ワイド位置３６と沈胴位置３４を結ぶカム溝部の形状が異なっている。
【００３３】
すなわち、従来例では、図１０に示すように、ワイド位置１２３aからカム溝部を左斜め下方に延ばした位置に沈胴位置１２２aを配置している。これに対して、本実施例では、ワイド位置３６とそのすぐ左側に配置されたクラッチユニット１６をカム溝で結び、クラッチユニット１６からカム溝を右斜め下方に延ばし、その位置を沈胴位置３４としている。なお、クラッチユニット１６の詳細な説明は、後述する。
【００３４】
つまり、従来例では、テレ位置１２４aとワイド位置１２３aを結ぶカム溝の領域と、ワイド位置１２３aと沈胴位置１２２aを結ぶカム溝の領域の位相（カム筒５８の周方向の位置）とが異なっているが、本実施例では、テレ位置３７とワイド位置３６を結ぶカム溝の領域と、ワイド位置３６と沈胴位置３４を結ぶカム溝の領域の位相が、重複している。これにより、カム筒５８における、カム溝部３３の周方向寸法を小さく設定できるため、カム筒５８を径方向に小型化することができる。
【００３５】
４０a、４０b、４０cは、第２の撮影レンズ７１を駆動するための、カム溝部である。カム溝部４０a、４０b、４０cは、同一形状であるため、カム溝部４０aの形状を説明して、カム溝部４０b、４０cの説明は省略する。
【００３６】
カム溝部４０aのうち、テレ位置４４とワイド位置４３を結ぶカム溝部（第１の領域）の形状は、図１０に示す従来例のカム溝部１２５aと同様の構成となっているが、ワイド位置４３と沈胴位置４１を結ぶカム溝部の形状が異なっている。
【００３７】
すなわち、従来例では、ワイド位置１２７aからカム溝を左斜め下方に延ばした位置に沈胴位置１２６aを配置している。これに対して、本実施例では、ワイド位置４３
とそのすぐ左側に配置されたクラッチユニット４５をカム溝で結び、クラッチユニット４５からカム溝を右斜め下方に延ばし、その位置に沈胴位置４１を配置している。
【００３８】
つまり、従来例では、テレ位置１２８aとワイド位置１２７aを結ぶカム溝の領域と、ワイド位置１２７aと沈胴位置１２６aを結ぶカム溝の領域の位相（カム筒５８の周方向の位置）が異なっているが、本実施例では、テレ位置４４とワイド位置４３を結ぶカム溝の領域と、ワイド位置４３と沈胴位置４１を結ぶカム溝の領域の位相が、重複している。これにより、カム筒５８における、カム溝部４４aの周方向寸法を小さく設定できるため、カム筒５８を径方向に小型化することができる。
【００３９】
４７a、４７b、４７cは、第３の撮影レンズ７９を駆動するための、カム溝部である。カム溝部４７a、４７b、４７cは、同一形状であるため、カム溝部４７aの形状を説明して、カム溝部４７b、４７cの説明は省略する。
【００４０】
カム溝部４７aのうち、テレ位置５１とワイド位置５２を結ぶカム溝部（第１の領域）の形状は、図１０に示す従来例のカム溝部１３１aと同様の構成となっているが、ワイド位置５２と沈胴位置５３を結ぶカム溝部の形状が異なっている。すなわち、本実施例では、ワイド位置５２と沈胴位置５３の間に、クラッチユニット５５を設けている。
【００４１】
次に、図４を参照して、カムフォロワの構成について説明する。ここで、図４は、カムフォロワ６５の断面図である。なお、各レンズ保持部材６４〜８０に設けられたカムフォロワは、形状が略同一であるため、カムフォロワ６５の構成を説明して、他のカムフォロワの説明を省略する。
【００４２】
カムフォロワ６５を構成するカムピン６５aは、カム溝部３３aに係合し、第１のレンズ保持鏡筒６４に設けられた凹形状の保持部６５ｂに保持されている。カムピン６５aの基端部には、カムピン６５aをカム筒５８の径方向に付勢するバネ６５ｃが取り付けられている。
【００４３】
次に、図５〜図７を参照して、クラッチユニット１６の構成及びクラッチユニット１６に進入したカムピンの動作について説明する。ここで、図５は、クラッチユニット１６を拡大して図示したカム筒５８の部分展開図であり、図６は、カム溝部の断面図であり、図７は、カムピンがクラッチ機構を乗り越えた状態を示した図である。なお、各クラッチユニット１６〜５５の構成は、略同一であるため、クラッチユニット１６を説明して、他のクラッチユニットの説明は省略する。
【００４４】
図５において、カム溝部３３aのうち、沈胴位置３４から乗り換え位置３５までを第１のカム溝部３３１aとし、乗り換え位置３５からワイド位置３６までを第１のカム溝部３３１bとする。また、ワイド位置３６からテレ位置３７までを第２のカム溝部３３２とする。
【００４５】
さらに、第１のカム溝部３３１a、３３１bが沈胴領域（格納領域）に対応し、第２のカム溝部３３２が撮影領域に対応している。
【００４６】
第１のカム溝部３３１及び第２のカム溝部３３２の断面形状は、図６（a）に示すように、カムフォロワ６５の形状に対応しており、カムフォロワ６５のカムピン６５aが、第１のカム溝部３３１aの凹部１７aに係合している。
【００４７】
第１のカム溝部３３１aにおける、第１のカム溝部３３１b側の端部には、第１のクラッチ機構１６１が設けられており、この第１のクラッチ機構１６１は、凹部１７aの深さ寸法（カム筒５８径方向の寸法）を、沈胴位置３４から離れるにしたがって徐々に小さくして形成したテーパ面１６１aと、このテーパ面１６１aのワイド位置側の端部からカムピン６５aの進行方向に沿って延び、そこからカム筒５８の径方向内側に向かって延びる段差形状部１６１ｂとから構成されている（図７参照）。
【００４８】
第１の撮影レンズ６３を沈胴位置３４から撮影領域に向けて駆動すると、カムピン６５aは、第１のカム溝部３３１aの凹部１７aに沿って移動し、第１のクラッチ機構１６１に進入する。この第１のクラッチ機構１６１に進入したカムピン６５aは、バネ６５cをチャージしながらテーパ面１６１a上を摺動し、段差形状部１６１ｂを通過したところで、チャージされたバネ６５cのバネ力によってカム筒５８の径方向内側に付勢され、第１のカム溝部３３１bに進入する。
【００４９】
なお、本実施例では、カムフォロワ６５に弾性を持たせたが、例えば、カム筒５８にコの字状に切り欠いたテーパ部を設け、カムフォロワ６５の摺動に応じて該テーパ部が変形するように構成することにより、カム筒５８に弾性を持たせるようにしてもよい。また、カム筒５８とカムフォロワ６５の両方に弾性を持たせるようにしてもよい。
【００５０】
１６２は、第１のカム溝部３３１ｂにおける、ワイド位置３６とは反対側の端部に設けられた第２のクラッチ機構であり、第１の撮影レンズ６３を撮影領域から沈胴領域に駆動するときに、撮影領域から沈胴領域への乗り換えを許容し、撮影領域から撮影領域への戻りを阻止する。なお、１６２aがテーパ面で、１６２ｂが段差形状部であるが、これらの構成は、第１のクラッチ機構１６１と同様であるため、説明を省略する。
【００５１】
３３１ｃは、分岐溝部であり、撮影領域から沈胴領域に駆動するときに、第２のクラッチ機構１６２を乗り越えた第１の撮影レンズ６３を、第１のカム溝部３３１aへ導き、沈胴位置３４まで駆動するために設けられている。
【００５２】
分岐溝部３３１ｃの沈胴位置３４側の端部には、第３のクラッチ機構１６３が設けられており、この第３のクラッチ機構１６３は、第１の撮影レンズ６３の分岐溝部３３１ｃから第１のカム溝部３３１aへの乗り換えを許容し、沈胴位置３４から撮影領域へ駆動される第１の撮影レンズ６３の分岐溝部３３１ｃへの進入を阻止するために設けられている。
なお、１６３aがテーパ面で、１６３ｂが段差形状部であるが、これらの構成は、第１のクラッチ機構１６１と同様であるため、説明を省略する。
【００５３】
次に、図８及び図９を参照して、撮影レンズを沈胴位置から撮影領域に駆動する際の、アクチュエータの駆動制御について説明する。ここで、図８は、アクチュエータの駆動制御を説明するための機能ブロック図であり、図９は、アクチュエータの制御手順を示したフローチャートである。
【００５４】
フォトインタラプタ３０３は、第１の撮影レンズ６３に対応して設けられており、第１の撮影レンズ６３の動きに連動して回転動作を開始する不図示のパルス板に対する光の透過及び非透過を検出する。制御回路３０２は、フォトインタラプタ３０３のパルス数をカウントすることによって、第１の撮影レンズ６３の位置を検出し、この検出結果に基づき第１の撮影レンズ６３の駆動源であるアクチュエータ３０１の駆動を制御する。
【００５５】
次に、図９を参照して、アクチュエータ３０１の制御手順について説明する。
なお、以下の駆動制御は、制御回路３０２によって実行される。
【００５６】
まず、アクチュエータ３０１を駆動して、カム筒５８を光軸周り一方向に回転させることにより、第１の撮影レンズ６３を沈胴位置３４からワイド位置３６に向けて駆動する（S２０１）。第１の撮影レンズ６３の駆動に連動して、フォトインタラプタ３０３による検出動作が開始される（S２０１）。
【００５７】
フォトインタラプタ３０３から出力されるパルス数が、所定パルス数に達したかどうかを判定し（S２０２）、所定パルス数に達した場合には、アクチュエータ３０１の駆動方向を反転させ、カム筒５８を光軸周り他方向に回転させる（S２０３）。ここで、所定パルス数は、沈胴位置３４から、乗り換え位置３５までの距離に対応している。
【００５８】
つまり、第１の撮影レンズ６３が、第１のクラッチ機構１６１を乗り越えて第１のカム溝部３３１ｂに進入したときに、アクチュエータ３０１の駆動方向を反転できるように、パルス数の値が設定されている。
【００５９】
アクチュエータ３０１の駆動方向を反転すると、カムフォロワ６５が第１のクラッチ機構１６１の段差形状部１６１aに当接するため、第１の撮影レンズ６３は、第１のカム溝部３３１aへの戻りが阻止されて、撮影領域に向かう。
【００６０】
本実施例では、第１のクラッチ機構１６１を乗り越えたときに、駆動方向を反転しているが、第１のクラッチ機構１６１を乗り越えてから第２のクラッチ機構１６２を乗り越える前に駆動方向を反転すればよく、この条件を満たす範囲で所定パルス数を決定することができる。
【００６１】
このように第２のクラッチ機構１６２を乗り越える前に駆動方向を反転するようにしたのは、第２のクラッチ機構１６２を乗り越えた状態で、駆動方向を反転すると、第１の撮影レンズ６３が、段差形状部１６２ｂに当接して、沈胴位置３４に戻ってしまうからである。
【００６２】
撮影領域から沈胴位置３４へ駆動するときは、第１の撮影レンズ６３を、第２のクラッチ機構１６２を超える位置まで駆動してから、駆動方向を反転すればよい。第２のクラッチ機構１６２を越える前に、駆動方向を反転すると、沈胴位置３４にいかずに、撮影領域に戻ってしまう。
【００６３】
なお、本実施例では、各撮影レンズ６３〜７９を、カム筒５８を回転させることによって駆動しているが、固定筒５５を回転させる構成であってもよい。
【図面の簡単な説明】
【００６４】
【図１】カメラの正面斜視図
【図２】レンズ装置の断面図
【図３】カム筒の展開図
【図４】カムフォロワの断面図
【図５】クラッチユニットの拡大図
【図６】カム溝部の断面図
【図７】カムフォロワがクラッチ機構を乗り越えた状態を示した、カム溝部の断面図
【図８】撮影レンズの駆動制御を実行するための機能ブロック図
【図９】撮影レンズの制御手順を示したフローチャート
【図１０】従来例のカム筒の展開図
【符号の説明】
【００６５】
１  カメラ本体
２  レンズ装置
３  ロック解除ボタン
４  撮影モードダイヤル
５  ストロボ発光部
６  レリーズスイッチ
５８  カム筒
６３  第１の撮影レンズ
７１  第２の撮影レンズ
７９  第３の撮影レンズ
８７  第３の撮影レンズ
３０１  アクチュエータ
３０２  制御回路
３０３  フォトインタラプタ
【図１】
2005284176.tif 000003
【図２】
2005284176.tif 000004
【図３】
2005284176.tif 000005
【図４】
2005284176.tif 000006
【図５】
2005284176.tif 000007
【図６】
2005284176.tif 000008
【図７】
2005284176.tif 000009
【図８】
2005284176.tif 000010
【図９】
2005284176.tif 000011
【図１０】
2005284176.tif 000012